(57)【特許請求の範囲】
【請求項１】
ポリエチレンからなる板状部材が長手方向に屈曲されることによって四隅に滑らかな湾曲部を有する矩形筒状に形成されたフレームと、
フレームの下縁および外周縁を覆うエチレン酢酸ビニル共重合体からなる外側シート部材と、
外側シート部材と対向するように当該外側シート部材の内側に配置され、フレームの内周縁を覆いながら下縁に沿って配置され且つ外側シート部材と接合されたエチレン酢酸ビニル共重合体からなる内側シート部材とを備えたことを特徴とする釣用バッグ。
【請求項２】
請求項１記載の釣用バッグにおいて、
上記内側シート部材は、フレームの内側から外側へ回り込んで外側シート部材の外側に溶着されていることを特徴とする釣用バッグ。
【請求項３】
請求項１または２に記載の釣用バッグにおいて、
上記内側シートは、上記フレームの四隅に対応する部位で上記外側シートと接合されていることを特徴とする釣用バッグ。
【請求項４】
請求項１ないし３のいずれかに記載の釣用バッグにおいて、
上記内側シートの上記フレームの下縁に沿って配置された部位と上記外側シートの上記フレームの下縁に沿って配置された部位との間に発泡スポンジが介在されていることを特徴とする釣用バッグ。
【請求項５】
請求項１ないし４のいずれかに記載の釣用バッグにおいて、
上記フレームは、接着剤により内側シート部材に接着されていることを特徴とする釣用バッグ。
【発明の詳細な説明】
【０００１】
【発明の属する技術の分野】
この発明は、レジャー、特に魚釣りの際に携行する釣用バッグに関するものである。
【０００２】
【従来の技術】
たとえば魚釣りをする場合には、釣り場に釣り道具やエサ等のさまざまな荷物を持ち込む必要がある。このため、従来から魚釣用のバッグが提供されている。
【０００３】
図５は、従来の釣用バッグの構成を示す正面図である。同図に示すように従来の釣用バッグ１は、たとえば合成樹脂からなる本体２と、本体２の側面３に取り付けられた一対の把手４とを有する。本体２は、直方体の容器状に形成されており、内部に釣り道具やエサ等を収容することができるようになっている。把手４はポリエチレン等により構成することができ、取付用ステー５を介して取り付けられている。なお、把手４の基端部６は、取付用ステー５に形成されたボス部７に嵌め込まれており、回動自在となっている。
【０００４】
【発明が解決しようとする課題】
従来の釣用バッグ１はかかる構造であるから全体的に柔らかく、たとえば磯場に載置する際には自立性が悪く、釣用バッグ１が変形して収容物がこぼれてしまうおそれがあるという問題があった。この問題を解決するために、従来では釣用バッグ１の内側にポリエチレン等で形成した容器８（図５において二点鎖線で示したもの）を嵌め込むという手段が採用されていた。
【０００５】
ところが、この容器８はいわゆる成型品であるから、重量が大きく、また製造コストも高いという新たな問題があった。さらに、容器８は本体２に対して直接縫い付けるという構造であるために防水性に欠け、容器８と本体２との間に水が侵入しやすいという問題もあった。しかも、容器８は底を有するものであるから釣用バッグ１の底面が非常に硬くなり、却って磯場に載置する際には不安定になるという問題もあった。
【０００６】
そこで、本発明の第１の目的は、載置したときの安定性と自立性とを確保しながら軽量で安価な釣用バッグを提供することである。また、本発明の第２の目的は、さらに防水性に優れた釣用バッグを提供することである。
【０００７】
【課題を解決するための手段】
(1) 上記目的を達成するために本願発明者は、自立性を高めるためには釣用バッグの側壁面の剛性を高めることが重要である点、側壁面のみの剛性を確保することによって底面を柔軟なものとし、これにより、載置したときの安定性を確保することができる点、および素材（ＥＶＡ等）を縫製することによってのみ釣用バッグを構成するするのではなく、適宜完全に密着させる構造を採用することにより防水性を向上させることができる点に着目した。
【０００８】
(2) そこで、上記第１の目的を達成するため、本願に係る釣用バッグは、ポリエチレンからなる板状部材が長手方向に屈曲されることによって四隅に滑らかな湾曲部を有する矩形筒状に形成されたフレームと、フレームの下縁および外周縁を覆うエチレン酢酸ビニル共重合体からなる外側シート部材と、外側シート部材と対向するように当該外側シート部材の内側に配置され、フレームの内周縁を覆いながら下縁に沿って配置され且つ外側シート部材と接合されたエチレン酢酸ビニル共重合体からなる内側シート部材とを備えたことを特徴とするものである。
【０００９】
この構成によれば、フレームによって矩形筒状の骨組みが構成され、このフレームの外側と内側にそれぞれ外側シート部材および内側シート部材が配置される。これにより、フレームの下縁と外周縁が外側シート部材により覆われ、フレームの内周縁が内側シート部材により覆われる。すなわち、フレームが外側シート部材および内側シート部材によって挟み込まれた構造となり、フレームの上縁側が開放された容器状の釣用バッグが構成される。
【００１０】
したがって、釣用バッグの側壁面部分は、上記フレームが矩形筒状に形成されることによって高い剛性が確保される。しかも、フレームはポリエチレンからなるので、肉厚が０．３ｍｍ〜５．０ｍｍ程度に設定されてもフレームの十分な剛性が確保される。そのため、上記側壁面部分の剛性が確保されながら軽量化が図られる。また、フレームは筒状のものであるから、釣用バッグの底面部分は、対向する外側シート部材および内側シート部材により構成される。しかも、これら外側シート部材および内側シート部材はエチレン酢酸ビニル共重合体からなるため、柔軟性に富む。加えて、フレームはポリエチレンからなる板状部材を屈曲形成したものであるから、いわゆる成型品にくらべてコストを抑えることができる。
【００１１】
(3) 上記第２の目的を達成するために、上記内側シート部材は、フレームの内側から外側へ回り込んで外側シート部材の外側に溶着することができる。
【００１２】
このようにすれば、フレームが内蔵されている構造であっても、釣用バッグの内面は内側シート部材により完全に覆われた状態となるので、内面を滑らかなものとすることができる。加えて、外側シート部材と内側シート部材とが溶けて一体となるので、外側シート部材と内側シート部材との間に水が侵入するのを防止することができる。
【００１３】
(4) また、上記内側シートは、上記フレームの四隅に対応する部位で上記外側シートと接合されていてもよい。かかる構造とすれば、釣用バッグの底面周縁部の剛性が向上するので、釣用バッグの側壁面部分の剛性がさらに向上する。さらに、相対的に釣用バッグの底面部分の柔軟性が確保される。
【００１４】
(5) 上記内側シートの上記フレームの下縁に沿って配置された部位と上記外側シートの上記フレームの下縁に沿って配置された部位との間に発泡スポンジが介在されていてもよい。このようにすれば、釣用バッグの底面部分の柔軟性及び可撓性が確保されつつ、衝撃吸収性も向上する。
【００１５】
(6) 上記フレームは、接着剤により内側シート部材に接着されていてもよい。このようにすれば、内側シート部材とフレームとが完全に密着する。
【００１６】
【発明の実施の形態】
以下、本発明の実施の形態について説明する。
【００１７】
図１は、本発明の一実施形態に係る釣用バッグの構成を示す斜視図である。また図２は、図１におけるＡ−Ａ仮想面で切断したときの断面図である。
【００１８】
これらの図を参照して、釣用バッグ１０は、表面が樹脂シートにより形成された容器状のものであり、たとえば魚釣りに携行することができ、魚釣の道具やエサ等さまざまなものを収容することができる。本実施形態に係る釣用バッグ１０の特徴とするところは、後述する内部構造を備えていることから、地面や磯場に載置したときに自立性・安定性に優れ、且つ軽量で防水性にも優れ、しかも安価に製造することができる点である。以下、詳しく説明する。
【００１９】
釣用バッグ１０は、全体として直方体状に形成されており（図１参照）、内装されたフレーム１１と、フレーム１１の外側を覆う外側シート１２（外側シート部材）および内側を覆う内側シート１３（内側シート部材）と、釣用バッグ１０の開口部１４の周縁に配設された開口ワイヤ１５と、釣用バッグ１０の底面部１６に配設された断熱材１７とを備えている。なお、この釣用バッグ１０には、図１の二点鎖線に示すように、蓋部材１８および把手１９を取り付けることもできる。
【００２０】
図３は、フレーム１１の斜視図である。
【００２１】
図１ないし図３を参照して、フレーム１１は、釣用バッグ１０の骨組みを構成するものであり、断面形状が略矩形の筒状部材である。ただし、釣用バッグ１０の角部を滑らかに仕上げるために、フレーム１１の隅部２０ａ〜２０ｄは湾曲されている。
【００２２】
フレーム１１は、本実施形態ではポリエチレン樹脂からなる板状部材を屈曲形成して構成されている。すなわち、長尺の板部材をその長手方向に沿って屈曲させて図３に示すような略矩形状に形成し、端部２１，２２同士を接合させている。両者の接合は、たとえば接着剤等により固着することができるが、溶着により固着することもできる。なお、本実施形態では端部２１，２２同士を突き合わせて接合しているが、所定長さだけ重ねて両者を接合することもできる。
【００２３】
また、本実施形態では、フレーム１１の肉厚ｔは、２ｍｍに設定されている。ただし、フレーム１１の肉厚はこの寸法に限定されるものではなく、０．３ｍｍ〜５．０ｍｍ程度の範囲で適宜設定することができる。フレーム１１の肉厚として上記数値を採用することによる作用効果については後述する。
【００２４】
次に、図１および図２を参照して、外側シート１２は、フレーム１１の外側、すなわち、フレーム１１の下縁および外周縁を覆う袋状の部材であって、フレーム１１の外側にぴったりと密着するように配置されている。本実施形態では、外側シート１２は、いわゆるＥＶＡ（エチレン酢酸ビニル樹脂）により構成されている。
【００２５】
一方、内側シート１３は、フレーム１１の内側、すなわち、フレーム１１の内周縁を覆いながらフレーム１１の下縁に沿って配置された袋状の部材である。内側シート１３は、外側シート１２と同様にＥＶＡにより構成されており、フレーム１１の内側にぴったりと密着するように配置されている。なお、内側シート１３を完全にフレーム１１の内側に密着させるために、たとえば接着剤等により接着することもできる。
【００２６】
また、本実施形態では、内側シート１３は、図２に示すように、フレーム１１の内側から開口１４を回り込んでフレーム１１の外側まで延設されている。そして、内側シート１３の端部２３は、外側シート１２のさらに外側に配置されており、その状態で内側シート１３の端部２３と外側シート１２の端部２４とが接合されている。
【００２７】
これら端部２３，２４の接合は、縫製あるいは溶着、またはこれら双方の処理を施すことにより達成することができる。本実施形態では、布製の糸２５により上記端部２３，２４を縫いつけると共に、所定のヒータを用いて両者を溶着している。これら端部２３，２４の溶着は、図１に示すように開口１４を構成する４つの辺部において行うことができ、溶着部２６〜２９が形成されている。これら溶着部２６〜２９では、図２に示すように、外側シート１２の端部２４と内側シート１３の端部２３とが溶けて一体となっている。
【００２８】
また、本実施形態では、上述したように開口ワイヤ１５が備えられている。この開口ワイヤ１５は、開口１４部分の剛性を確保するためのものである。したがって、開口ワイヤ１５は矩形の環状に形成されており、上記フレーム１１の上方に配置されている。この開口ワイヤ１５は、断面が円形の部材であり、たとえばステンレス鋼により構成することができる。もっとも、断面形状は円形に限られず他の形状とすることができるし、釣用バッグ１０全体の軽量化を図るために合成樹脂により構成することもできる。
【００２９】
そして、この開口ワイヤ１５が設けられていることから、上記内側シート１３は、図２に示すように、フレーム１１の内側から開口ワイヤ１５を覆い、その後に外側シート１２に接合されることになる。もっとも、この開口ワイヤ１５を無くすこともできる。
【００３０】
次に、断熱材１７は、図２に示すように、釣用バッグ１０の底面部１６に対応する部位に配置されており、外側シート１２と内側シート１３との間に介在されている。この断熱材１７は、たとえば発砲スチロールや発泡ウレタン等の発泡スポンジを採用することができる。断熱材１７の外形形状は、は、底面部１６の形状に対応されており、底面部１６全体を覆うようになっている。
【００３１】
断熱材１７として発泡スチロールや発泡ウレタンを採用した場合には、非常に弾力性が高く、衝撃吸収用のクッションとしても機能する。しかも、可撓性を有するから釣用バッグ１０を載置する地面等の形状に合わせて底面部１６が変形することができるという利点がある。
【００３２】
なお、本実施形態では、断熱材１７を底面部１６にのみ配置したが、これを側面部分にも配置することができる。すなわち、フレーム１１の外側または内側に断熱材１７を配置することができる。このようにすれば、釣用バッグ１０全体の耐衝撃性能がさらに向上するとともに、釣用バッグ１０の保冷力も向上するという利点がある。もっとも、この断熱材１７は無くすこともできる。
【００３３】
また、図１に示したように、この釣用バッグ１０には蓋部材１８を設けることができる。この蓋部材１８は、上記外側シート１２および内側シート１３と同様にＥＶＡにより構成することができる。蓋部材１８の外形形状は開口１４の形状に対応させることができ、これにより、開口１４を完全に覆うことができる。
【００３４】
蓋部材１８に取付用の片部３０を設け、これを外側シート１２等に縫いつけることにより蓋部材１８を開閉自在に取り付けることができる。なお、蓋部材１８には、図示していないがファスナーを取り付けることにより、このファスナの開閉によって蓋部材１８の開閉を行うようにすることができる。
【００３５】
かかる蓋部材１８を設けることにより、釣用バッグ１０の開口１４の開閉が自在となり、釣り道具やエサを収容する場合であっても、収容物がこぼれるのを防止することができる。
【００３６】
さらに、この釣用バッグ１０には上述した把手１９を設けることができる。この把手１９は、図に示すように釣用バッグ１０の側面に固定することができる。把手１９は、取付用のステー３１と、これに設けられた把持部３２とを有して構成することができる。これらはたとえばＥＶＡ等により形成することができ、かかる材料を採用することにより強度と耐久性とを兼ね備えることができる。把手１９の構造は従来のものと同様であるので、その詳しい説明は省略する。このように把手１９を設けることにより、釣用バッグ１０に重量物を収容したときでも、持ち運びが容易となる。
【００３７】
本実施形態に係る釣用バッグ１０によれば、次のような作用効果を奏する。
【００３８】
まず、上述したように、釣用バッグ１０はフレーム１１を備えており、フレーム１１が外側シート１２および内側シート１３によって挟み込まれた構造となっている。したがって、釣用バッグ１０の側面部分はフレーム１１によって高い剛性が確保される。これにより、釣用バッグ１０を地面等に載置した場合に自立性が向上し、側面部分が変形して収容した釣り道具やエサ等がこぼれてしまうという不都合を無くすことができる。
【００３９】
しかも、フレーム１１は筒状に形成されているから、釣用バッグ１０の底面部１６は、外側シート１２および内側シート１３により構成され、柔軟性に富む。したがって、釣用バッグ１０をたとえば磯場等の起伏の激しい場所に載置したとしても、底面部１６が変形することにより安定して自立することができ、収容物がこぼれてしまうのを効果的に防止することができる。
【００４０】
さらに、フレーム１１は板状の部材を筒状に形成したものであるから、いわゆる成型品にくらべて肉厚を薄くすることができ、その結果、軽量で安価に製造することができる。したがって、釣用バッグ１０全体を軽量且つ安価なものとすることができる。
【００４１】
また、本実施形態に係る釣用バッグ１０では、内側シート１３がフレーム１１の内側から外側へ回り込んで外側シート１２外側に接合されているから、フレーム１１が内蔵されている構造でありながら、釣用バッグ１０の内面は内側シート１３により完全に覆われた状態となる。したがって、釣用バッグ１０の内面を滑らかなものとすることができ、釣りエサ等を収容して内部が汚れた場合であっても、これを簡単且つ確実に洗浄することができるという利点がある。さらに、かかる構造であるから、外側シート１２と内側シート１３との間に水が侵入するのを防止することができ、釣用バッグ１０の防水性を向上させることができるという利点もある。
【００４２】
また、外側シート１２と内側シート１３との間に断熱材１７を配設しているので、釣用バッグ１０の保冷性を向上させることができ、いわゆるクーラとしても使用することが可能となる。しかも、この断熱材１７として可撓性を有するものを採用することにより、上述した釣用バッグ１０の安定性を損なうことがない。
【００４３】
特に、本実施形態では、フレーム１１をポリエチレン樹脂により構成しているので、フレーム１１を安価に製造することができ、引いては釣用バッグ１０のコストをさらに低減することができる。しかも、フレーム１１の肉厚を０．３ｍｍ〜５．０ｍｍ（特に本実施形態では２ｍｍ）に設定しているので、釣用バッグ１０の側面の剛性を十分に確保しながら重量の増加を抑えることができ、きわめて軽量の釣用バッグ１０を提供することができる。なお、フレーム１１を構成する材料として、ポリエチレン樹脂に限定されることはなく、ポリエチレン樹脂等の既知の樹脂を採用することもできる。
【００４４】
また、本実施形態では、外側シート１２および内側シート１３は、ＥＶＡにより構成しているから、安価で耐久性に優れた釣用バッグ１０を提供することができる。
【００４５】
上記実施形態に関して次のような変形例が考えられる。
【００４６】
まず、フレーム１１は、発砲樹脂材により構成することもできる。発泡樹脂としては、ポリスチレン等を採用することができるが、その他発泡ウレタン等の既知の発泡材を採用することもできる。フレーム１１を発泡樹脂材により構成すれば、釣用バッグ１０のさらなる軽量化を図ることができ、しかも、断熱性能も向上し、より保冷力のあるクーラとして使用することが可能となる。
【００４７】
また、釣用バッグ１０を載置する場所の傾斜および凹凸があまり激しくない場合には、釣用バッグ１０の底面部１６に配置する断熱材１７は可撓性に優れないものでもよい。また、断熱材１７に代えてポリエチレン樹脂等からなる底板部材を配設することもできる。
【００４８】
さらに、図４に示すように、外側シート１２と内側シート１３とを底面部１６の隅部３５で接合させるような構造を採用することもできる。すなわち、上記実施形態では、図１および図２に示すように外側シート１２と内側シート１３とは溶着部２６〜２９において接合されているが、さらに図４に示すように底面部１６の隅部３５で溶着することもできる。
【００４９】
かかる構造とすることにより、釣用バッグ１０の底面周縁部の剛性を向上させることができる。しかも、かかる構造とすることによってフレーム１１および断熱材１７が、それぞれ独立して外側シート１２と内側シート１３との間に密封された状態となる。したがって、釣用バッグ１０の側面部分の剛性をさらに向上させて釣用バッグ１０の自立性を一層向上させることができるうえに、底面部１６の柔軟性を確保して釣用バッグ１０の安定性を一層向上させることができる。
【００５０】
【発明の効果】
以上のように本願発明によれば、ポリエチレン製フレームを内蔵することによって釣用バッグの側壁面部分の剛性を確保することができるから、自立性に優れた使い勝手のよい釣用バッグを提供することができる。また、外側シート部材および内側シート部材がエチレン酢酸ビニル共重合体からなり、しかも、フレームは筒状のものであるから、釣用バッグの底面部は柔軟なものとすることができる。したがって、釣用バッグの底面部がたとえば磯場等に載置された場合であっても安定性に優れる。さらに、フレームは軽量且つ安価であるから、結果として軽量で安価な釣用バッグを提供することができる。
【００５１】
また、内側シート部材を外側シート部材の外側へ回り込ませた構造を採用しているので、外側シート部材と内側シート部材との間に水が侵入するのを防止して防水性に優れた釣用バッグを提供することができる。しかも、釣用バッグの内面を滑らかなものとすることができるので、エサ等を収容して汚れた場合であっても容易に洗浄することができる。
【図面の簡単な説明】
【図１】  本発明の一実施形態に係る釣用バッグの構成を示す斜視図である。
【図２】  図１におけるＡ−Ａ仮想面で切断したときの断面図である。
【図３】  本発明の一実施形態に係るフレームの斜視図である。
【図４】  本発明の一実施形態の変形例に係る釣用バッグの内部構造を示す要部断面図である。
【図５】  従来の釣用バッグの構成を示す正面図である。
【符号の説明】
１０  釣用バッグ
１１  フレーム
１２  外側シート
１３  内側シート
１４  開口部
１６  底面部
１７  断熱材
２３、２４  端部
２６〜２９  溶着部
【図１】
0004390383.tif 000002
【図２】
0004390383.tif 000003
【図３】
0004390383.tif 000004
【図４】
0004390383.tif 000005
【図５】
0004390383.tif 000006